(57)【要約】  情報記録装置（３００）は、（ｉ）第１情報を第１記録層（Ｌ０層）に記録すると共に、この第１記録層を透過したレーザ光によって、第２情報を第２記録層（Ｌ１層）に記録する記録手段（３０１等）と、（ｉｉ）第１情報を第１記録層の一の記録領域に記録する場合、この一の記録領域に対向される位置にある第２記録層の他の記録領域に、第２情報として、ダミーデータを記録するように、記録手段を制御する制御手段（３０５等）とを備える。【特許請求の範囲】
【請求項１】
第１情報を記録するための第１トラックが形成された第１記録層、及び前記第１トラックに対応されると共に、第２情報を記録するための第２トラックが形成された第２記録層を少なくとも備える情報記録媒体において、前記第１記録層を透過したレーザ光によって、少なくとも前記第２記録層に記録する情報記録装置であって、
前記第１情報を前記第１記録層に記録すると共に、前記第２情報を前記第２記録層に記録する記録手段と、
前記第１情報を前記第１記録層の一の記録領域に記録する場合、前記一の記録領域に対向される位置にある前記第２記録層の他の記録領域に、前記第２情報として、ダミーデータを記録するように、前記記録手段を制御する制御手段と
を備えることを特徴とする情報記録装置。
【請求項２】
前記制御手段は、前記他の記録領域の半径位置の範囲が、前記一の記録領域の半径位置の範囲に含まれるように、前記ダミーデータを記録するように、前記記録手段を制御することを特徴とする請求の範囲第１項に記載の情報記録装置。
【請求項３】
前記制御手段は、前記ダミーデータの記録に際して、前記他の記録領域を、リードアウトエリアと同じ属性にするように、前記記録手段を制御することを特徴とする請求の範囲第１項に記載の情報記録装置。
【請求項４】
前記制御手段は、（ｉ）前記他の記録領域を、データエリアと同じ属性にすると共に、（ｉｉ）前記他の記録領域に、前記ダミーデータとして、ゼロ、又は所定の値を記録するように、前記記録手段を制御することを特徴とする請求の範囲第１項に記載の情報記録装置。
【請求項５】
少なくとも前記第２記録層における前記第２情報が記録された位置に関する位置情報を取得可能な取得手段を更に備え、
前記制御手段は、取得された前記位置情報に基づいて、ファイナライズ処理を行うように、前記記録手段を制御することを特徴とする請求の範囲第１項に記載の情報記録装置。
【請求項６】
少なくとも前記第２記録層における前記第２情報が記録された位置を示すアドレス情報を検出可能な検出手段を更に備え、
前記制御手段は、検出された前記アドレス情報に基づいて、ファイナライズ処理を行うように、前記記録手段を制御することを特徴とする請求の範囲第１項に記載の情報記録装置。
【請求項７】
前記情報記録媒体は、少なくとも前記第２記録層における前記第２情報が記録された位置に関する位置情報を記録可能な管理情報記録エリアを有し、
前記管理情報記録エリアに記録された前記位置情報を読み出す読出手段と、
読み出された前記位置情報を記憶する記憶手段と、
少なくとも前記第２情報が記録される場合、記憶された前記位置情報を更新する更新手段と
を更に備え、
前記制御手段は、（ｉ）更新された前記位置情報に基づいて、ファイナライズ処理を行うと共に、（ｉｉ）更新された前記位置情報を前記管理情報記録エリアに記録するように、前記記録手段を制御することを特徴とする請求の範囲第１項に記載の情報記録装置。
【請求項８】
前記制御手段は、前記第２記録層の前記他の記録領域に、前記第２情報を上書き記録するように、前記記録手段を制御することを特徴とする請求の範囲第１項に記載の情報記録装置。
【請求項９】
第１情報を記録するための第１トラックが形成された第１記録層、及び前記第１トラックに対応されると共に、第２情報を記録するための第２トラックが形成された第２記録層を少なくとも備える情報記録媒体において、前記第１記録層を透過したレーザ光によって、少なくとも前記第２記録層に記録する情報記録装置における情報記録方法であって、
前記第１情報を前記第１記録層に記録すると共に、前記第２情報を前記第２記録層に記録する記録工程と、
前記第１情報を前記第１記録層の一の記録領域に記録する場合、前記一の記録領域に対向される位置にある前記第２記録層の他の記録領域に、前記第２情報として、ダミーデータを記録するように、前記記録工程を制御する制御工程と
を備えることを特徴とする情報記録方法。
【請求項１０】
請求の範囲第１項に記載の情報記録装置に備えられたコンピュータを制御する記録制御用のコンピュータプログラムであって、該コンピュータを、前記記録手段、及び、前記制御手段のうち少なくとも一部として機能させることを特徴とするコンピュータプログラム。
【請求項１１】
第１情報を記録するための第１トラックが形成された第１記録層と、
前記第１トラックに対応すると共に、第２情報を記録するための第２トラックが形成された第２記録層と
を少なくとも備え、
前記第２トラックは、前記第１情報が記録された前記第１記録層の一の記録領域に対向される位置にある前記第２記録層の他の記録領域に、前記第２情報として、ダミーデータを記録可能なように前記第２記録層に形成されていることを特徴とする情報記録媒体。
【請求項１２】
前記第１記録層、及び前記第２記録層のうち少なくとも一方は、少なくとも前記第２記録層における前記第２情報が記録された位置に関する位置情報を記録可能な管理情報記録エリアを有することを特徴とする請求の範囲第１１項に記載の情報記録媒体。
【請求項１３】
前記第１記録層、及び前記第２記録層においては、所定ブロックの単位で、第１情報、又は第２情報が記録され、
前記所定ブロックには、データエリアの属性、リードアウトエリアの属性、又は、ミドルエリアの属性であることを示す情報が保持されることを特徴とする請求の範囲第１１項に記載の情報記録媒体。
【発明の詳細な説明】
【技術分野】
【０００１】
本発明は、例えば２層型のＤＶＤ、ＣＤ（Compact Disc）等の多層型の情報記録媒体に情報を記録するためのＤＶＤレコーダ等の情報記録装置及び方法、記録制御用のコンピュータプログラム、並びに、情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ、ＤＶＤ−Ｒ、ＤＶＤ−ＲＷ、及び、ＤＶＤ＋Ｒ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
このような２層型の光ディスクを構成するＬ１層に情報を記録する際には、例えば図１２（ａ）に示されるように、記録済みのＬ０層を介してＬ１層に照射されたレーザ光の最適な記録パワーは、図１２（ｃ）の細線（白三角印）の放物線上におけるジッタ値が最小となる４４．５（ｍＷ：ミリワット）である。他方、図１２（ｂ）に示されるように、記録済みのＬ０層とは光透過率の異なる未記録状態のＬ０層を介してＬ１層に照射されたレーザ光の最適な記録パワーは、図１２（ｃ）の太線（黒三角印）の放物線上におけるジッタ値が最小となる４６（ｍＷ：ミリワット）であり、Ｌ１層の記録においてはＬ０層が記録されているか否かを考慮する必要性がある。これに対しては、例えば記録済みの状態のＬ０層を透過した記録用のレーザ光が照射されなければならないという、所謂、記録要件（Recording Order）を満たす記録方法が考案されている。具体的には、Ｌ０層を記録済みの状態にしてから、この記録済みのＬ０層に対応される最適な記録パワーを保持するレーザ光によって、Ｌ１層に情報が記録される。他方、Ｌ０層を未記録の状態にしておき、この未記録の状態のＬ０層に対応される最適な記録パワーを保持するレーザ光によって、Ｌ１層に情報が記録される。或いは、情報を記録予定のＬ１層の領域に対向されるＬ０層の領域が記録済みであるか否かを、例えばスペースビットマップ（ＳＢＭ：Space Bit Map）等の管理情報に基づいて判断し、その判断に基づいて、Ｌ１層に情報が記録される。ここに、本願発明に係る「対向する」とは、第１記録層における記録領域の一部と、第２記録層における記録領域の一部とが対応して相向き合っている、即ち、概ね同一の半径位置に存在する位置関係を意味するようにしてもよい。更に、偏心等の誤差も考慮した位置関係を意味するようにしてもよい。【０００４】
【特許文献１】特開２０００−３１１３４６号公報
【特許文献２】特開２００１−２３２３７号公報
【発明の開示】
【発明が解決しようとする課題】
【０００５】
しかしながら、上述した記録要件を満たす記録方法におけるファイナライズ処理の際には、Ｌ０層における記録済み状態の記録領域に対向するＬ１層における記録領域は、再生専用装置との互換性を実現するために、必然的に記録済み状態にされる。よって、ファイナライズ処理に多大な時間を要してしまうという技術的な問題点を有している。【０００６】
或いは、上述した記録要件を満たす記録方法におけるファイナライズ処理の際には、例えば記録済み状態のＬ０層の記録領域に対向されるＬ１層の記録領域の状態が、例えば記録済みであるか否かを、例えばＳＢＭ等の管理情報に基づいて判断する必然性が生じてしまう。従って、ファイナライズ処理における制御処理が複雑になってしまい、制御処理への負荷を高めてしまうという技術的な問題点を有している。【０００７】
本発明は、例えば上述した従来の問題点に鑑みなされたものであり、例えば複数の記録層を有する情報記録媒体に対しても、より効率的に情報の記録を行うことが可能であると共に、記録時間を短縮させることが可能である情報記録装置及び方法、コンピュータをこのような情報記録装置として機能させるコンピュータプログラム、並びに、情報記録媒体を提供することを課題とする。
【課題を解決するための手段】
【０００８】
（情報記録装置）
以下、本発明に係る情報記録装置について説明する。【０００９】
本発明の情報記録装置は上記課題を解決するために、第１情報（実効的なデータ）を記録するための第１トラックが形成された第１記録層（Ｌ０層）、及び前記第１トラックに対応されると共に、第２情報（実効的なデータ）を記録するための第２トラックが形成された第２記録層（Ｌ１層）を少なくとも備える情報記録媒体において、前記第１記録層（Ｌ０層）を透過したレーザ光によって、少なくとも前記第２記録層（Ｌ１層）に記録する情報記録装置であって、前記第１情報を前記第１記録層に記録すると共に、前記第２情報を前記第２記録層に記録する記録手段と、前記第１情報を前記第１記録層の一の記録領域に記録する場合、前記一の記録領域に対向される位置にある前記第２記録層の他の記録領域に、前記第２情報として、ダミーデータ（ファイナライズ処理と等価にできる）を記録するように、前記記録手段を制御する制御手段とを備える。【００１０】
本発明の情報記録装置によれば、制御手段の制御下で、記録手段によって、第１トラックが形成された、例えばＬ０層等の第１記録層に第１情報が記録される。概ね同様にして、この第１トラックに対応される第２トラックが形成された、例えばＬ１層等の第２記録層に第２情報が記録される。詳細には、第１記録層においては、第１情報を記録するために第１プリフォーマットアドレス情報が形成されていてもよい。第２記録層においては、第２情報を記録するために第２プリフォーマットアドレス情報が形成されていてもよい。尚、任意のタイミングで、且つ、任意の位置に第１情報、又は第２情報を記録するために、第１トラック、又は第２トラックには、例えばＬＰＰ（Land PrePit）等のプリフォーマットアドレス情報が形成されていてもよい。また、第１トラックと、第２トラックとの関係は、後述されるように、オポジット方式でも、パラレル方式でも良い。【００１１】
特に、本発明によれば、制御手段の制御下で、記録手段によって、第１情報を第１記録層の一の記録領域に記録する場合、一の記録領域に対向される位置にある第２記録層の他の記録領域に、第２情報として、ダミーデータが、例えば所定のタイミングで記録される。ここに、本願発明に係る「ダミーデータ」とは、第１情報や第２情報とは異なり、例えば「Ｎｕｌｌ」や「ゼロ」等の実効的ではない、即ち、意味を持たない、形式上のデータ（情報）である。加えて、このダミーデータの記録の際には、記録領域の属性を、例えばリードアウトエリアやミドルエリア等の所定の属性に設定するようにしてもよい。言い換えると、「ダミーデータ」は、他の記録領域を、ファイナライズ処理がなされた記録領域と概ね等価にさせることが可能な記録情報である。また、本発明に係る「所定のタイミング」とは、第１情報の記録と同時のタイミングでもよいし、或いは、第１情報の記録と相前後したタイミングでもよい。更に、また、ダミーデータは、実効的な第２情報と混在されて記録されてもよいし、ダミーデータが単独に記録されてもよい。【００１２】
その結果、本発明によれば、第２情報として、ダミーデータが記録された他の記録領域においては、ファイナライズ処理の際に、ダミーデータ（ダミー情報）を記録する必要を殆ど又は完全に無くすことができる。従って、ファイナライズ処理の際に、ダミーデータを記録する必要のある記録領域の大きさを減少させる、或いは、ダミーデータを記録する必要のある記録領域を殆ど又は完全に無くすことが可能となる。【００１３】
以上の結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【００１４】
加えて、本発明によれば、第２情報として、ダミーデータが記録された他の記録領域においては、ファイナライズ処理の際に、ダミーデータ（ダミー情報）を記録する必要を殆ど又は完全に無くすことができるので、ファイナライズ処理における制御処理をより簡便にさせ、高い負荷が制御処理に掛かるのを抑制させることも可能となる。【００１５】
本発明の情報記録装置の一の態様では、前記制御手段は、前記他の記録領域の半径位置の範囲が、前記一の記録領域の半径位置の範囲に含まれるように、前記ダミーデータを記録するように、前記記録手段を制御する。【００１６】
この態様によれば、第１記録層の一の記録領域に対向された、第２記録層の他の記録領域に、記録要件をより適切に満たしつつ、ダミーデータを記録することが可能となる。【００１７】
本発明の情報記録装置の他の態様では、前記制御手段は、前記ダミーデータの記録に際して、前記他の記録領域を、リードアウトエリアと同じ属性にするように、前記記録手段を制御する。【００１８】
この態様によれば、ダミーデータの記録に際して、他の記録領域をファイナライズ処理がなされた記録領域と概ね等価にさせることが可能となる。【００１９】
本発明の情報記録装置の他の態様では、前記制御手段は、（ｉ）前記他の記録領域を、データエリアと同じ属性にすると共に、（ｉｉ）前記他の記録領域に、前記ダミーデータとして、ゼロ、又は所定の値を記録するように、前記記録手段を制御する。【００２０】
この態様によれば、ダミーデータの記録に際して、他の記録領域をファイナライズ処理がなされた記録領域と概ね等価にさせることが可能となる。【００２１】
本発明の情報記録装置の他の態様では、少なくとも前記第２記録層における前記第２情報が記録された位置に関する位置情報（例えばＬ１層のSpace BitMap）を取得可能な取得手段を更に備え、前記制御手段は、取得された前記位置情報に基づいて、ファイナライズ処理（少なくとも前記第２記録層の未記録状態の記録領域に、ダミーデータを記録する）を行うように、前記記録手段を制御する。【００２２】
この態様によれば、第２情報が記録されると共に、例えば第１情報の記録の度に更新されるスペースビットマップ等の、取得された位置情報に基づいて、ファイナライズ処理、即ち、少なくとも第２記録層の未記録状態の記録領域における、ダミーデータの記録を、より的確且つ迅速に行うことが可能となる。【００２３】
本発明の情報記録装置の他の態様では、少なくとも前記第２記録層における前記第２情報が記録された位置を示すアドレス情報（例えば、Ｌ１層における「CFFF1h」から「CFFFFh」）を検出可能な検出手段を更に備え、前記制御手段は、検出された前記アドレス情報に基づいて、ファイナライズ処理（少なくとも前記第２記録層の未記録状態の記録領域に、ダミーデータを記録する）を行うように、前記記録手段を制御する。【００２４】
この態様によれば、第２情報が記録されると共に、例えばＬ１層における「CFFF1h」から「CFFFFh」等の、検出されたアドレス情報に基づいて、ファイナライズ処理、即ち、少なくとも第２記録層の未記録状態の記録領域における、ダミーデータの記録を、より的確且つ迅速に行うことが可能となる。【００２５】
本発明の情報記録装置の他の態様では、前記情報記録媒体は、少なくとも前記第２記録層における前記第２情報が記録された位置に関する位置情報（Ｌ１層のSpace BitMap）を記録可能な管理情報記録エリア（ＲＭＡ）を有し、前記管理情報記録エリアに記録された前記位置情報を読み出す読出手段と、読み出された前記位置情報を記憶する記憶手段と、少なくとも前記第２情報が記録される場合、記憶された前記位置情報を更新する更新手段とを更に備え、前記制御手段は、（ｉ）更新された前記位置情報に基づいて、ファイナライズ処理（少なくとも前記第２記録層の未記録状態の記録領域に、ダミーデータを記録する）を行うと共に、（ｉｉ）更新された前記位置情報を前記管理情報記録エリアに記録するように、前記記録手段を制御する。【００２６】
この態様によれば、制御手段の制御下で、記録手段によって、更新された位置情報に基づいて、ファイナライズ処理、即ち、少なくとも第２記録層の未記録状態の記録領域における、ダミーデータの記録を、より的確且つ迅速に行うことが可能となる。【００２７】
加えて、この態様によれば、制御手段の制御下で、記録手段によって、更新された、最新の位置情報が、管理情報記録エリアに記録されているので、次回の記録動作、又は、ファイナライズ処理は、この最新の位置情報に基づいて、より適切に行われることが可能となる。【００２８】
本発明の情報記録装置の他の態様では、前記制御手段は、前記第２記録層の前記他の記録領域に、前記第２情報を上書き記録するように、前記記録手段を制御する。【００２９】
この態様によれば、第２記録層の他の記録領域においては、第２情報が記録されるので、より効率的に記録領域を利用することが可能となる。【００３０】
（情報記録方法）
以下、本発明に係る情報記録方法について説明する。【００３１】
本発明の情報記録方法は上記課題を解決するために、第１情報（実効的なデータ）を記録するための第１トラックが形成された第１記録層（Ｌ０層）、及び前記第１トラックに対応されると共に、第２情報（実効的なデータ）を記録するための第２トラックが形成された第２記録層（Ｌ１層）を少なくとも備える情報記録媒体において、前記第１記録層（Ｌ０層）を透過したレーザ光によって、少なくとも前記第２記録層（Ｌ１層）に記録する情報記録装置における情報記録方法であって、前記第１情報を前記第１記録層に記録すると共に、前記第２情報を前記第２記録層に記録する記録工程と、前記第１情報を前記第１記録層の一の記録領域に記録する場合、前記一の記録領域に対向される位置にある前記第２記録層の他の記録領域に、前記第２情報として、ダミーデータ（第２情報はダミーデータを含む：ファイナライズ処理と等価にさせる）を記録するように、前記記録工程を制御する制御工程とを備える。【００３２】
本発明の情報記録方法によれば、上述した本発明の情報記録装置が有する各種利益を享受することが可能となる。【００３３】
尚、上述した本発明の情報記録装置が有する各種態様に対応して、本発明の情報記録方法も各種態様を採ることが可能である。【００３４】
（コンピュータプログラム）
以下、本発明に係るコンピュータプログラムについて説明する。【００３５】
本発明の記録制御用のコンピュータプログラムは上記課題を解決するために、上述した本発明の情報記録装置（但し、その各種態様を含む）に備えられたコンピュータを制御する記録制御用のコンピュータプログラムであって、該コンピュータを、前記記録手段、及び、前記制御手段のうち少なくとも一部として機能させる。【００３６】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００３７】
尚、上述した本発明の情報記録装置における各種態様に対応して、本発明のコンピュータプログラムも各種態様を採ることが可能である。【００３８】
コンピュータ読取可能な媒体内のコンピュータプログラム製品は上記課題を解決するために、上述した本発明の情報記録装置（但し、その各種態様を含む）に備えられたコンピュータにより実行可能なプログラム命令を明白に具現化し、該コンピュータを、前記記録手段、及び、前記制御手段のうち少なくとも一部として機能させる。【００３９】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００４０】
（情報記録媒体）
以下、本発明に係る情報記録媒体について説明する。【００４１】
本発明の情報記録媒体は上記課題を解決するために、第１情報を記録するための第１トラックが形成された第１記録層と、前記第１トラックに対応すると共に、第２情報を記録するための第２トラックが形成された第２記録層とを少なくとも備え、前記第２トラックは、前記第１情報が記録された前記第１記録層の一の記録領域に対向される位置にある前記第２記録層の他の記録領域に、前記第２情報として、ダミーデータ（ファイナライズ処理と等価にさせる）を記録可能なように前記第２記録層に形成されている。【００４２】
本発明の情報記録媒体によれば、第１記録層に形成された、例えばＬＰＰ（Land Pre Pit）等のアドレス情報やクロック情報を読み出し可能な第１トラックに沿って、第１情報が記録される。と同時に又は相前後して、第２記録層に形成された、例えばＬＰＰ等のアドレス情報やクロック情報を読み出し可能な第２トラックに沿って、第２情報が記録される。詳細には、第１トラックは、情報記録媒体に備えられた、例えばディスク状の基板の内周側及び外周側のうち一方側から他方側へと向かい、これとは逆に、第２トラックは、他方側から一方側へと向かうように構成してもよい。即ち、当該２層型或いは多層型の情報記録媒体では、記録のためのトラックが２つの記録層の間で逆方向を向いている「オポジット方式」による連続記録が可能とされる。従って、第１記録層の終了端に続いて第２記録層の開始端へと、記録を連続的に行うようにすれば、情報に係る記録処理或いは再生処理の対象としての記録層を切り換える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り換えのために特別なバッファ機能を必要とすることなく、途切れのない再生を行うことが容易となるという意味で、実践上大変便利である。【００４３】
或いは、また、第１トラックは、前述した内周側及び外周側のうち一方側から他方側へと向かい、第２トラックも、第１トラックと同様に、一方側から他方側へと向かうように構成してもよい。即ち、当該二層型或いは多層型の情報記録媒体では、トラックが二つの記録層の間で同一方向を向いている「パラレル方式」による連続記録が可能とされる。このパラレル方式では、第１記録層における記録又は再生が終了されると、第２記録層における記録又は再生が開始される時に、例えば、光ディスクの最外周にある光ピックアップが再度、最内周へ向かって移動する必要があるため、前述したオポジット方式と比較して、第１記録層から第２記録層への切り換え時間がその分だけ掛かってしまう。【００４４】
特に、本発明によれば、例えばＬＰＰ等のアドレス情報やクロック情報を読み出し可能な第２トラックは、第１情報が記録された第１記録層の一の記録領域に対向される位置にある第２記録層の他の記録領域に、例えばダミーデータ等の第２情報を記録可能なように第２記録層に形成されている。【００４５】
その結果、本発明によれば、第２情報として、ダミーデータが記録された他の記録領域は、ファイナライズ処理の際に、ダミーデータを記録する必要を、殆ど又は完全に無くすことができる。従って、ファイナライズ処理の際に、ダミーデータを記録する必要のある記録領域の大きさを減少させる、或いは、ダミーデータを記録する必要のある記録領域を殆ど又は完全に無くすことが可能となる。【００４６】
以上の結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【００４７】
本発明の情報記録媒体の一の態様では、前記第１記録層、及び前記第２記録層のうち少なくとも一方は、少なくとも前記第２記録層における前記第２情報が記録された位置に関する位置情報（Ｌ１層のSpace BitMap）を記録可能な管理情報記録エリア（ＲＭＡ）を有する。【００４８】
この態様によれば、前述した情報記録装置によって、管理情報記録エリアから取得された位置情報に基づいて、ファイナライズ処理、即ち、少なくとも第２記録層の未記録状態の記録領域における、ダミーデータの記録を、より的確且つ迅速に行うことが可能となる。【００４９】
本発明の情報記録媒体の他の態様では、前記第１記録層、及び前記第２記録層においては、所定ブロック（ＥＣＣブロック）の単位で、第１情報、又は第２情報が記録され、前記所定ブロックには、データエリアの属性、リードアウトエリアの属性、又は、ミドルエリアの属性であることを示す情報が保持される。【００５０】
この態様によれば、前述した情報記録装置によって、所定ブロックに保持される、データエリアの属性、リードアウトエリアの属性、又は、ミドルエリアの属性であることを示す情報に基づいて、ファイナライズ処理、即ち、少なくとも第２記録層の未記録状態の記録領域における、ダミーデータの記録を、より的確且つ迅速に行うことが可能となる。【００５１】
本発明のこのような作用及び他の利得は次に説明する実施例から明らかにされる。【００５２】
以上説明したように、本発明の情報記録装置及び方法によれば、記録手段及び工程、並びに、制御手段及び工程を備える。よって、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。加えて、本発明によれば、第２情報として、ダミーデータが記録された他の記録領域においては、ファイナライズ処理の際に、ダミーデータ（ダミー情報）を記録する必要を殆ど又は完全に無くすことができるので、ファイナライズ処理における制御処理をより簡便にさせ、高い負荷が制御処理に掛かるのを抑制させることも可能となる。【００５３】
また、本発明のコンピュータプログラムによれば、コンピュータを上述した本発明の情報記録装置として機能させるので、情報記録装置をして、ファイナライズ処理に掛かる時間を、例えばコンテンツ情報等の実効的な情報を記録する記録時間と概ね等しくさせるため、ファイナライズ処理に掛かる時間の大幅な短縮が可能となり、ユーザは、ファイナライズ処理において、より大きな快適性を体感することが可能となる。【００５４】
更に、また、本発明の情報記録媒体によれば、第１トラックが形成された第１記録層と、第２トラックが形成された第２記録層とを備える。よって、上述した情報記録装置によって、ファイナライズ処理に掛かる時間を、例えばコンテンツ情報等の実効的な情報を記録する記録時間と概ね等しくさせるため、ファイナライズ処理に掛かる時間の大幅な短縮が可能となり、ユーザは、ファイナライズ処理において、より大きな快適性を体感することが可能となる。
【図面の簡単な説明】
【００５５】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。
【図３】本発明に係る「管理情報」の一例を構成するＲＭＤに含まれる情報を示したテーブルである。
【図４】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。
【図５】本発明の情報記録装置の実施例に係る情報記録再生装置、及び、ホストコンピュータの基本構成を示したブロック図である。
【図６】本発明の情報記録装置の実施例に係る情報記録再生装置による、全体的な記録動作、並びにファイナライズ処理を示したフローチャートである。
【図７】本発明の第１実施例に係る、記録動作がなされた記録領域を図式的に示した模式図である。
【図８】一般のＤＶＤ−ＲＯＭドライブ等の情報記録再生装置が２層型光ディスクにおける所望のアドレスへアクセスする際の経路を示した概念的な模式図である。
【図９】比較例に係る、記録動作がなされた記録領域を図式的に示した模式図である。
【図１０】本発明の第１実施例に係る効果に着目した、記録動作がなされた記録領域を図式的に示した模式図である。
【図１１】本発明の情報記録装置の第２実施例に係る情報記録再生装置による、全体的な記録動作、並びにファイナライズ処理を示したフローチャートである。
【図１２】本発明に係る記録要件を概念的に示した模式図（図１２（ａ）及び図１２（ｂ））、並びに数値的に示したグラフ（図１２（ｃ））である。
【符号の説明】
【００５６】
１００…光ディスク、１０１−０（１０１−１）…リードインエリア、１０２−０（１０２−１）…データエリア、１０３−０（１０３−１、１０３ａ−１）…リードアウトエリア、１０４−０（１０４ａ−０、１０４−１）…ミドルエリア、１０４ｓ−０（１０４ｓ−１）…Ｓｈｉｆｔｅｄミドルエリア、１０５−０（１０５−１）…ＰＣＡ、１０６−０（１０６−１）…ＲＭＡ、３００…情報記録再生装置、３０１…光ピックアップ、３０２…信号記録再生手段、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ…レーザ光
【発明を実施するための最良の形態】
【００５７】
以下、本発明を実施するための最良の形態について実施例毎に順に図面に基づいて説明する。【００５８】
（１）情報記録媒体の実施例
先ず、図１から図４を参照して、本発明の情報記録媒体の実施例について詳細に説明する。尚、本実施例に係る光ディスクにおいては、本願発明に係る「第１トラック」の一例を構成するＬ０層のトラックパスと、本願発明に係る「第２トラック」の一例を構成するＬ１層のトラックパスとが反対の記録方向であるオポジット方式が記録方式の一具体例として採用されている。【００５９】
（１−１）基本構成
先ず図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。【００６０】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００６１】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００６２】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録又は再生手順、並びに、各層におけるデータ構造については、後述される。【００６３】
（１−２）詳細構成
次に、図２から図４を参照して、本発明の情報記録媒体の実施例に係る２層型光ディスクの詳細構成について説明する。より具体的には、図２から図４を参照して、２層型光ディスクのデータ構造、該光ディスクの記録領域におけるＥＣＣブロックを構成する物理的セクタ番号（以下、適宜「セクタ番号」と称す）、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。図３は、本発明に係る「管理情報」の一例を構成するＲＭＤに含まれる情報を示したテーブルである。図４は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。尚、図２及び図４中の縦軸は、１６進数で表現されたセクタ番号を示し、横軸は、光ディスクの半径方向の相対的な位置を示す。【００６４】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、最適記録パワーの検出（較正処理：ＯＰＣ：Optimum Power Control）のためのパワーキャリブレーションエリア１０５−０（以下適宜「ＰＣＡ：Power Calibration Area」と称す）、レコーディングマネージメントエリア１０６−０（以下適宜「ＲＭＡ：Recording Management Area」と称す）、リードインエリア１０１−０、データエリア１０２−０、及びミドルエリア１０４−０が設けられている。また、ＰＣＡ１０５−０内の矢印は、較正処理のために記録領域が消費されていく方向を示している。【００６５】
ＲＭＡ１０６−０（後述される１０６−１）においては、本発明に係る「管理情報」の一例を構成するＲＭＤ（Recording Management Data）が記録可能である。詳細には、ＲＭＡ１０６−０（１０６−１）においては、ＲＭＤが、約７００回程度追記することが可能である。このＲＭＡ１０６−０（１０６−１）によって、本願発明に係る「管理情報記録エリア」の一例が構成されている。【００６６】
ＲＭＤは、図３に示されるように、次の数種類の各種情報を記録するためのフィールドを保持するように構成してもよい。即ち、本発明に係る「管理情報」として、（ｉ）Ｌ１層の記録済み状態の記録領域を示すアドレス情報、（ｉｉ）Ｌ１層の未記録状態の記録領域を示すアドレス情報、（ｉｉｉ）Ｌ０層の記録済み状態の記録領域を示すアドレス情報、（ｉｖ）Ｌ０層の未記録状態の記録領域を示すアドレス情報を記録するためのフィールドを保持するように構成してもよい。【００６７】
加えて、（ｖ）当該光ディスク１００に対して、記録動作を行なった情報記録再生装置の識別番号情報、所謂、ドライブＩＤ情報（ドライブ識別情報）、（ｖｉ）ドライブＩＤによって指定された情報記録再生装置による較正処理の結果、検出された最適記録パワーの数値情報、（ｖｉｉ）未記録状態、例えばインクリメンタル記録方式等の記録方式、及び追記不可能であるファイナライズ処理が済んだ状態等を示すディスク状態情報を記録するためのフィールドを保持するように構成してもよい。【００６８】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばレーザ光等によってプリ記録される。また、データエリア１０２−０には、記録情報が記録可能である。また、ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。【００６９】
他方、Ｌ１層には、外周側から内周側にかけて、ミドルエリア１０４−１、データエリア１０２−１、リードアウトエリア１０３−１、ＲＭＡ１０６−１、及び、ＰＣＡ１０５−１が設けられている。より詳細には、ＰＣＡ１０５−０（１０５−１）、及びＲＭＡ１０６−０（１０６−１）を合わせて「Information Area」と称しても良い。また、上述したリードインエリア１０１−０（１０１−１）、データエリア１０２−０（１０２−１）、及びミドルエリア１０４−０（１０４−１）を合わせて「R-Information Area」と称しても良い。【００７０】
特に、本実施例においては、例えば、第２トラックは、情報が記録されたＬ０層の一の記録領域に対向される位置にあるＬ１層の記録領域に、例えばダミーデータ等の情報を記録可能なようにＬ１層に形成されているようにしてもよい。【００７１】
また、本実施例に係る光ディスク１００においては、図４に示されるように、例えばインクリメンタル（Incremental）記録方式等において、記録情報のデータ量が光ディスクの全記録容量より比較的に少ない場合、データエリア１０２−０（１０２−１）の外周端を内周側に配置させるように構成してもよい。この場合、データエリア１０２−０（１０２−１）の外周端から外周側に向かう方向に、シフトミドルエリア１０４ｓ−０（１０４ｓ−１）を備えて構成してもよい。【００７２】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図４中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００７３】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図４中の矢印の右方向へ移動するのとは逆に、Ｌ１層においては、光ピックアップが外周側から内周側へ向かって、即ち、図２及び図４中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００７４】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が「０２ＦＦＦＦｈ」のリードインエリア１０１−０の終了位置（図２中のＡ地点を参照）、セクタ番号が「０３００００ｈ」のデータエリア１０２−０の開始位置（図２中のＢ地点を参照）、セクタ番号が「１ＡＦＦＦＦｈ」のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、「３００００ｈ」等の末尾の「ｈ」とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が「Ｅ５００００ｈ」のデータエリア１０２−１の開始位置（以下、適宜、Ｌ１層の「折り返し点」と称す：図２中のＤ地点を参照）、セクタ番号が「ＦＣＦＦＥＦｈ」のデータエリア１０２−１の終了位置（図２中のＥ地点を参照）に順次アクセスして、リードアウトエリア１０３−１へと移動されることによって、Ｌ１層における記録又は再生が行われる。【００７５】
以上説明したＬ０層とＬ１層とにおけるセクタ番号はすべて、１６進数における１５の補数の関係にある。より具体的には、例えば、Ｌ０層における折り返し点（セクタ番号「１ＡＦＦＦＦｈ」）とＬ１層における折り返し点（セクタ番号「Ｅ５００００ｈ」）は１５の補数の関係にある。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。【００７６】
よって、コンテンツ等の記録情報は、例えば、Ｌ０層のデータエリア１０２−０のセクタ番号「０３００００ｈ」から「１ＡＦＦＦＦｈ」及びＬ１層のデータエリア１０２−１のセクタ番号「Ｅ５００００ｈ」から「ＦＣＦＦＥＦｈ」において、光ピックアップが連続して移動されると同時に記録又は再生される。【００７７】
以上説明した物理的セクタ番号に対して、論理ブロックアドレス（ＬＢＡ：Logical Block Address）が、１対１に割り付けられている。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応する。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００７８】
（２）情報記録装置の第１実施例
次に、図５から図８を参照して、本発明の情報記録装置の第１実施例について詳細に説明する。特に、本実施例は、本発明に係る情報記録装置を光ディスク用の情報記録再生装置に適用した例である。【００７９】
（２−１）基本構成
先ず、図５を参照して、本発明の情報記録装置に係る第１実施例における情報記録再生装置３００及び、ホストコンピュータ４００の基本構成について説明する。ここに、図５は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【００８０】
図５を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【００８１】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【００８２】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００８３】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０５が、データ入出力制御手段３０８、及びバス３０９を介して、直接情報記録再生装置３００を制御することによって、外部ネットワークと通信可能となるように構成してもよい。【００８４】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【００８５】
信号記録再生手段３０２は、光ピックアップ３０１とスピンドルモータ３０６とを制御することで光ディスク１００に対して記録再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」の一例を構成する。【００８６】
ＣＰＵ（ドライブ制御手段）３０５は、バス３０９を介して、各種制御手段に指示を行うことで、情報記録再生装置３００全体の制御を行う。また、ＣＰＵ３０５が動作するためのソフトウェア又はファームウェアは、メモリ３０７に格納されている。特に、ＣＰＵ３０５は、本発明に係る「制御手段」の一例を構成する。【００８７】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【００８８】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００８９】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【００９０】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【００９１】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【００９２】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【００９３】
（２−２）全体的な動作原理
次に、図６に加えて前述した図５を適宜参照して、本発明の情報記録装置の実施例に係る情報記録再生装置における全体的な動作原理について説明する。ここに、図６は、本発明の情報記録装置の実施例に係る情報記録再生装置による、全体的な記録動作、並びにファイナライズ処理を示したフローチャートである。【００９４】
図６に示されるように、光ディスク１００が装着されると、ＣＰＵ３０５等の制御手段の制御下で、光ピックアップ３０１や信号記録再生手段３０２等の読出手段によって、初期動作として、ＲＭＤ等の管理情報が取得される（ステップＳ１０１）。【００９５】
次に、制御手段の制御下で、光ディスク１００のＬ０層へ情報の記録を行うか否かが判定される（ステップＳ１０２）。ここで、光ディスク１００のＬ０層へ情報の記録を行う場合（ステップＳ１０２：Ｙｅｓ）、制御手段の制御下で、光ピックアップ３０１によって、Ｌ０層へ情報が記録される（ステップＳ１０３）。【００９６】
次に、制御手段の制御下で、対向されるＬ１層の記録領域は、未記録状態であるか否かが判定される（ステップＳ１０４）。ここで、対向されるＬ１層の記録領域は、未記録状態である場合（ステップＳ１０４：Ｙｅｓ）、制御手段の制御下で、光ピックアップ３０１によって、対向されるＬ１層の記録領域は、（ｉ）例えばリードアウトエリアと同じ属性にされることに加えて、又は、代えて、（ｉｉ）当該記録領域に、例えばダミーデータ等の情報が記録される（ステップＳ１０５）。【００９７】
次に、制御手段の制御下で、ファイナライズ処理を行うか否かが判定される（ステップＳ１０６）。ここで、ファイナライズ処理を行う場合（ステップＳ１０６：Ｙｅｓ）、制御手段の制御下で、光ピックアップ３０１によって、Ｌ１層において、記録済み状態の記録領域と、未記録状態の記録領域とが検出される（ステップＳ１０７）。【００９８】
次に、制御手段の制御下で、光ピックアップ３０１によって、検出されたＬ１層の記録済み状態の記録領域を除いた、Ｌ１層の未記録状態の記録領域において、（ｉ）例えばリードアウトエリアと同じ属性にされることに加えて、又は、代えて、（ｉｉ）当該記録領域に、例えばダミーデータ等の情報が記録される（ステップＳ１０８）。【００９９】
そして、制御手段の制御下で、光ディスクの実際の排出動作が行われる（ステップＳ１０９）。【０１００】
他方、ステップＳ１０２の判定の結果、Ｌ０層へ情報の記録を行わない場合（ステップＳ１０２：Ｎｏ）、制御手段の制御下で、光ピックアップ３０１によって、Ｌ１層へ情報が記録される（ステップＳ１１０）。【０１０１】
更に、他方、ステップＳ１０４の判定の結果、対向されるＬ１層の記録領域は、未記録状態でない、即ち記録済み状態である場合（ステップＳ１０４：Ｎｏ）、上述したように、制御手段の制御下で、ファイナライズ処理を行うか否かが判定される（ステップＳ１０６）。【０１０２】
（２−３）第１実施例に係る記録動作の詳細
次に、図７及び図８を参照して、本発明の第１実施例に係る詳細な記録動作について説明する。ここに、図７は、本発明の第１実施例に係る、記録動作がなされた記録領域を図式的に示した模式図である。図８は、一般のＤＶＤ−ＲＯＭドライブ等の情報記録再生装置が２層型光ディスクにおける所望のアドレスへアクセスする際の経路を示した概念的な模式図である。【０１０３】
図７に示されるように、本発明の第１実施例に係る詳細な記録動作においては、例えば情報記録再生装置によって、Ｌ０層のデータエリア１０２−０の一部の記録領域において情報が記録された場合（図７中のステップＳ１０を参照）、このＬ０層の記録領域に対向されるＬ１層の記録領域は、（ｉ）例えばリードアウトエリアと同じ属性にされることに加えて、又は、代えて、（ｉｉ）当該記録領域に、例えばダミーデータ等の情報が記録される（図７中のステップＳ１１を参照）。このようなダミーデータが記録されるＬ１層の記録領域について一般的には、光ディスクのＬ０層の記録領域に対向するＬ１層の未記録の領域においては、コンテンツ情報等の実効的な記録情報に加えて、例えば「Ｎｕｌｌ」等のダミーデータを記録する必要があることが知られている。何故ならば、一般のＤＶＤ−ＲＯＭドライブの再生動作時において、光ピックアップの層間フォーカスジャンプ（層間切換え）する際のトラッキングサーボが正常に制御され、ユーザデータが正常に再生されるためである。従って、実際のファイナライズ処理に掛かる時間は、コンテンツ情報等の実効的な記録情報の記録時間に加えて、ダミーデータの記録時間だけ長くなってしまう。【０１０４】
より詳細には、仮に、Ｌ１層の内周側が、例えば、ダミーデータが記録されずに未記録である場合、そこに光ピックアップが突入すると、ＲＦ再生信号が無いために、トラッキングサーボがはずれて、暴走してしまうからである。具体的には、例えば、ＤＶＤ−ＲＯＭドライブの光ピックアップが、２層型光ディスクにおいて、Ｌ０層の所定のセクタ番号（図８中の「Ｘ０」点）からＬ１層にある目的のセクタ番号（図８中の「Ｙ１」点）にアクセスするために、先ず、Ｌ１層へ焦点を合わせる、即ち、層間フォーカスジャンプ（層間切換え）を行う。即ち、図８中の「Ｘ０」点から「Ｘ１」点へ層間フォーカスジャンプする。或いは、図８中の「Ｙ０」点から「Ｙ１」点へ層間フォーカスジャンプする。この場合、層間フォーカスジャンプした先のＬ１層のセクタ番号（図８中の「Ｘ１」点、又は「Ｙ１」点）が未記録であると、光ピックアップは、例えば、位相差法によるトラッキングサーボの制御を行うことができずに、暴走してしまうのである。更に、より詳細には、位相差法が採用されているＤＶＤ−ＲＯＭ再生専用ドライブの光ピックアップは、プッシュプル法が採用されているＤＶＤ−Ｒにおける未記録領域に対してはトラッキングサーボの制御が殆ど又は完全に不可能である。このことが、ＤＶＤ−ＲＯＭドライブでＤＶＤ−Ｒを再生できない場合があることの一例であることも付記しておく。【０１０５】
再び、図７に戻る。【０１０６】
その結果、本実施例によれば、（ｉ）例えばリードアウトエリアと同じ属性にされ、（ｉｉ）例えばダミーデータが記録されたＬ１層の記録領域においては、ファイナライズ処理の際に、ダミーデータを記録する必要を殆ど又は完全に無くすことができる。従って、ファイナライズ処理の際に、ダミーデータを記録する必要のある記録領域の大きさを減少させる、或いは、ダミーデータを記録する必要のある記録領域を殆ど又は完全に無くすことが可能となる。具体的には、図７中のステップＳ２０の矢印を含む記録領域にダミーデータを記録しさえすればよい。より詳細には、Ｌ０層の不可視領域は、情報記録再生装置によって、認識されない領域として、未記録状態（ミラー状態）のままにしていてもよい。或いは、ファイナライズ処理の際に、ダミーデータを記録するようにしてもよい。更に、或いは、例えばミドルエリアと同じ属性で予めフォーマットしていてもよい。【０１０７】
以上の結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【０１０８】
加えて、本実施例によれば、例えばダミーデータが記録されたＬ１層の記録領域においては、ファイナライズ処理の際に、ダミーデータを記録する必要を殆ど又は完全に無くすことができるので、ファイナライズ処理における制御処理をより簡便にさせ、高い負荷が制御処理に掛かるのを抑制させることも可能となる。【０１０９】
（３）情報記録装置の第１実施例の作用及び効果の検討
次に、図９及び図１０を参照して、本発明の情報記録装置の第１実施例の作用及び効果について検討を加える。ここに、図９は、比較例に係る、記録動作がなされた記録領域を図式的に示した模式図である。図１０は、本発明の第１実施例に係る効果に着目した、記録動作がなされた記録領域を図式的に示した模式図である。【０１１０】
上述したように、本実施例に係る情報記録再生装置によれば、情報をＬ０層の記録領域に記録する場合、この記録領域に対向される位置にあるＬ１層の記録領域に、例えばダミーデータ等の情報が記録される。【０１１１】
仮に、比較例において、対向される位置にあるＬ１層の記録領域に、例えばダミーデータ等の情報を記録しない場合、図９に示されるように、ファイナライズ処理の際には、Ｌ０層における記録済み状態の記録領域に対向するＬ１層における記録領域は、再生専用装置との互換性を実現するために、必然的に記録済み状態にされる。よって、ファイナライズ処理に多大な時間を要してしまう。或いは、上述した比較例において、ファイナライズ処理の際には、例えば記録済み状態のＬ０層の記録領域に対向されるＬ１層の記録領域の状態が、例えば記録済みであるか否かを、例えばＳＢＭ等の管理情報に基づいて判断する必然性が生じてしまう。従って、ファイナライズ処理における制御処理が複雑になってしまい、制御処理への負荷を高めてしまうという技術的な問題点を有している。【０１１２】
これに対して、本実施例によれば、図１０に示されるように、（ｉ）例えばリードアウトエリアと同じ属性にされ、（ｉｉ）例えばダミーデータが記録されたＬ１層の記録領域においては、ファイナライズ処理の際に、ダミーデータを記録する必要を殆ど又は完全に無くすことができる。従って、ファイナライズ処理の際に、ダミーデータを記録する必要のある記録領域の大きさを減少させる、或いは、ダミーデータを記録する必要のある記録領域を殆ど又は完全に無くすことが可能となる。【０１１３】
以上の結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【０１１４】
加えて、本実施例によれば、例えばダミーデータが記録されたＬ１層の記録領域においては、ファイナライズ処理の際に、ダミーデータを記録する必要を殆ど又は完全に無くすことができるので、ファイナライズ処理における制御処理をより簡便にさせ、高い負荷が制御処理に掛かるのを抑制させることも可能となる。【０１１５】
（４）情報記録装置の第２実施例
次に、図１１を参照して、本発明の情報記録装置に係る第２実施例について説明する。尚、第２実施例における基本構成、及び動作原理は、前述した第１実施例と概ね同様であるので説明を適宜省略する。【０１１６】
（４−１）第２実施例に係る記録動作の詳細
図１１を参照して、本発明の情報記録装置の第２実施例に係る情報記録再生装置における全体的な動作原理について説明する。ここに、図１１は、本発明の情報記録装置の第２実施例に係る情報記録再生装置による、全体的な記録動作、並びにファイナライズ処理を示したフローチャートである。尚、図１１において、前述した図６における第１実施例と概ね同様の処理には、同様のステップ番号を付し、それらの処理の説明は、適宜、省略する。【０１１７】
図１１に示されるように、ステップＳ１０５、及びステップＳ１１０において、制御手段の制御下で、光ピックアップ３０１によって、Ｌ１層へ情報が記録される後、Ｌ１層の記録領域、又は未記録領域の位置を示す、例えばスペースビットマップ等の管理情報が、例えばメモリ等の記憶手段において、更新される（ステップＳ２０１）。【０１１８】
ステップＳ１０６の判定の結果、ファイナライズ処理を行う場合（ステップＳ１０６：Ｙｅｓ）、制御手段の制御下で、更新されたスペースビットマップ等の管理情報に基づいて、光ピックアップ３０１によって、Ｌ１層において、記録済み状態の記録領域を除いた、未記録状態の記録領域において、ダミーデータが記録される（ステップＳ２０２）。【０１１９】
以上の結果、第２実施例によれば、例えばスペースビットマップ等の管理情報が、Ｌ１層における記録動作と同時に、又は相前後して、更新されているので、ファイナライズ処理の際に、光ピックアップ３０１によって、Ｌ１層において、記録済み状態の記録領域と、未記録状態の記録領域とを検出する必要が殆ど又は完全にない。従って、ファイナライズ処理における制御処理をより簡便にさせ、高い負荷が制御処理に掛かるのを抑制させることが可能となる。【０１２０】
上述した実施例では、記録方式の一具体例として、オポジット方式について説明したが、本発明をパラレル方式等の他の記録方式に適用することも可能である。【０１２１】
また、上述した実施例では、情報記録媒体の一具体例として、例えば、２層型のＤＶＤ−ＲＷ又はＤＶＤ＋ＲＷ等の書き換え型光ディスクについて説明したが、本発明は、例えば、３層型等のマルチプルレイヤ型の光ディスクにも適用可能である。更に、ブルーレーザーを記録再生に用いるディスク等の他の高密度記録或いは高転送レート対応の各種の情報記録媒体にも適用可能である。【０１２２】
また、上述した実施例では、情報記録装置の一具体例として、例えば、ＤＶＤ−ＲＷレコーダー又はＤＶＤ＋ＲＷレコーダー等の書き換え用の情報記録再生装置について説明したが、本発明は、例えば、ブルーレーザーを記録又は再生に用いるディスク等の他の高密度記録或いは高転送レート対応の各種の情報記録媒体用の情報記録再生装置にも適用可能である。【０１２３】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、記録制御用のコンピュータプログラム、並びに、情報記録媒体もまた本発明の技術的範囲に含まれるものである。
【産業上の利用可能性】
【０１２４】
本発明に係る情報記録装置及び方法、記録制御用のコンピュータプログラム、並びに情報記録媒体は、例えば２層型のＤＶＤ、ＣＤ（Compact Disc）等の多層型の情報記録媒体に利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2006107033.tif 000002
【図２】
2006107033.tif 000003
【図３】
2006107033.tif 000004
【図４】
2006107033.tif 000005
【図５】
2006107033.tif 000006
【図６】
2006107033.tif 000007
【図７】
2006107033.tif 000008
【図８】
2006107033.tif 000009
【図９】
2006107033.tif 000010
【図１０】
2006107033.tif 000011
【図１１】
2006107033.tif 000012
【図１２】
2006107033.tif 000013
【国際調査報告】
2006107033.tif 000014
2006107033.tif 000015
2006107033.tif 000016
2006107033.tif 000017